(57)【特許請求の範囲】
【請求項１】
表示部と、
外部の無線タグから取得可能な第１接続情報と、前記第１接続情報とは異なる第２接続情報とを記憶する接続情報記憶部と、
前記第１接続情報と前記第２接続情報とを用いて外部機器と無線接続する無線通信部と、
前記接続情報記憶部に記憶された前記第２接続情報を変更する変更部と、
前記変更部を制御する制御部と、を備え、
前記制御部は、前記変更部に対し、前記第１接続情報の変更を許可せず、前記第２接続情報の変更を許可し、
前記無線通信部は、
前記第１接続情報を用いて、前記外部の無線タグから前記第１接続情報を取得した第１の外部機器と無線接続を行うとともに、
前記第２接続情報を用いて、前記第１の外部機器と異なる第２の外部機器と無線接続を行うことを特徴とする表示装置。
【請求項２】
前記無線通信部は、前記第１接続情報を用いて前記第１の外部機器からのアクセスを受けた場合に、前記外部機器に無線ＬＡＮのアクセスポイントとして無線接続すること、
を特徴とする請求項１に記載の表示装置。
【請求項３】
前記無線通信部は、前記第１接続情報を用いて前記第１の外部機器に対しアクセスポイントとして無線ＬＡＮ接続し、かつ、外部の無線ＬＡＮアクセスポイントに対し前記第２接続情報を用いて無線ＬＡＮ接続すること、
を特徴とする請求項２記載の表示装置。
【請求項４】
前記表示部は、前記無線通信部により受信される画像データに基づく画像を表示すること、
を特徴とする請求項１から３のいずれかに記載の表示装置。
【請求項５】
前記第１接続情報を保持する無線タグを備えること、
を特徴とする請求項１から４のいずれかに記載の表示装置。
【請求項６】
表示装置と、情報処理装置と、を有し、
前記表示装置は、
外部の無線タグから取得可能な第１接続情報と、前記第１接続情報とは異なる第２接続情報とを記憶する接続情報記憶部と、
前記第１接続情報と前記第２接続情報とを用いて外部機器と無線接続する第１無線通信部と、
前記接続情報記憶部に記憶された前記第２接続情報を変更する変更部と、
前記変更部を制御する制御部と、
前記第１無線通信部により前記情報処理装置から受信される画像データに基づく画像を表示する表示部と、を備え、
前記情報処理装置は、
無線タグから前記第１接続情報を読み取る無線リーダー／ライターと、
前記表示装置に無線接続する第２無線通信部と、
前記第２無線通信部により前記表示装置に画像データを送信する送信部と、を備え、
前記制御部は、前記変更部に対し、前記第１接続情報の変更を許可せず、前記第２接続情報の変更を許可し、
前記第１無線通信部と前記第２無線通信部とは、
前記無線リーダー／ライターが前記第１接続情報を取得した場合、前記第１接続情報を用いて無線接続を行うとともに、
前記第１無線通信部は、前記情報処理装置と異なる外部機器と前記第２接続情報を用いて無線接続を行うことを特徴とする表示システム。
【請求項７】
表示部を備える表示装置により、
外部の無線タグから取得可能な第１接続情報と、前記第１接続情報とは異なる第２接続情報とを記憶し、
前記第１接続情報の変更を受け付けた場合、前記第１接続情報の変更を許可せず、
前記第２接続情報の変更を受け付けた場合、前記第２接続情報の変更を許可し、
前記第１接続情報を用いて、前記外部の無線タグから前記第１接続情報を取得した第１の外部機器と無線接続を行うとともに、
前記第２接続情報を用いて、前記第１の外部機器と異なる第２の外部機器と無線接続を行うことを特徴とする表示装置の制御方法。
【発明の詳細な説明】
【技術分野】
【０００１】
本発明は、表示装置、表示システム、及び、表示装置の制御方法に関する。
【背景技術】
【０００２】
スマートフォンやタブレット端末等の情報処理装置を、無線ＬＡＮ（Local Area Network）によりプロジェクター等の表示装置に接続する技術が知られている。さらに、無線ＬＡＮ接続の確立に、近距離無線通信（Near Field Communication、ＮＦＣ）を用いる技術が知られている。例えば特許文献１は、携帯通信装置が、ＮＦＣの伝送を検出することによって無線ＬＡＮの存在を検出し、無線ＬＡＮへの接続を促進する技術を開示している。
【先行技術文献】
【特許文献】
【０００３】
【特許文献１】特表２０１２−５０２５５４号公報
【発明の概要】
【発明が解決しようとする課題】
【０００４】
特許文献１に記載の技術においては、表示装置の接続情報が変更された場合に、その接続情報を共有することが困難であるという問題があった。
【０００５】
これに対し本発明は、表示装置の接続情報が変更された場合であっても、その接続情報を他の情報処理装置と共有することを容易にする技術を提供する。
【課題を解決するための手段】
【０００６】
本発明の表示装置は、表示部と、外部の無線タグから取得可能な第１接続情報を用いて、外部機器と無線接続する無線通信部と、前記無線通信部により無線接続可能な接続情報であって、前記第１接続情報とは異なる第２接続情報を記憶する第２接続情報記憶部と、を備え、前記無線通信部は、前記第２接続情報を用いて前記外部機器または他の外部機器と無線接続可能であり、前記第２接続情報は変更可能であること、を特徴とする。
【０００７】
この表示装置によれば、外部の無線タグから取得可能な第１接続情報による無線接続を可能とし、かつ、無線接続に用いる第２接続情報を変更できる。
【０００８】
本発明の表示装置は、前記第２接続情報の変更の指示を受け付ける受付部と、前記受付部により受け付けた指示に基づき前記第２接続情報を変更する変更部と、を備え、前記変更部が前記第２接続情報を変更する場合に、前記第１接続情報は変更されない構成としてもよい。
【０００９】
この表示装置によれば、外部の無線タグから第１接続情報を取得する外部機器が、表示装置に無線接続可能な状態を、保つことができる。
【００１０】
また、前記無線通信部は、前記第１接続情報を用いて前記外部機器からのアクセスを受けた場合に、前記外部機器に無線ＬＡＮのアクセスポイントとして無線接続する構成としてもよい。
【００１１】
この表示装置によれば、外部機器に対し、第１接続情報を用いて接続可能なアクセスポイントを提供できる。
【００１２】
また、前記無線通信部は、前記第１接続情報を用いて前記外部機器に対しアクセスポイントとして無線ＬＡＮ接続し、かつ、外部の無線ＬＡＮアクセスポイントに対し前記第２接続情報を用いて無線ＬＡＮ接続する構成としてもよい。
【００１３】
この表示装置によれば、外部の無線ＬＡＮアクセスポイントに接続でき、かつ、外部機器に対して、第１接続情報を用いて接続可能なアクセスポイントを提供できる。
【００１４】
また、本発明の表示装置は、前記表示部は、前記無線通信部により受信される画像データに基づく画像を表示する構成としてもよい。
【００１５】
この表示装置によれば、外部機器が送信する画像データに基づき画像を表示できる。
【００１６】
また、本発明の表示装置は、前記第１接続情報を保持する無線タグを備える構成としてもよい。
【００１７】
この表示装置によれば、外部の無線タグから取得可能な第１接続情報を、表示装置が備える無線タグに保持することで、第１接続情報を用いた無線接続を、より容易に行える。
【００１８】
本発明の表示システムは、表示装置と、情報処理装置と、を有し、前記表示装置は、表示部と、第１接続情報を用いて、前記情報処理装置と無線接続する第１無線通信部と、前記第１無線通信部により無線接続可能な接続情報であって、前記第１接続情報とは異なる第２接続情報を記憶する第２接続情報記憶部と、を備え、前記表示部は、前記第１無線通信部により前記情報処理装置から受信される画像データに基づく画像を表示し、前記第１無線通信部は、前記第２接続情報を用いて前記情報処理装置と無線接続可能であり、前記第２接続情報は変更可能であり、前記情報処理装置は、無線タグから前記第１接続情報を読み取る無線リーダー／ライターと、前記無線リーダー／ライターにより読み取られた前記第１接続情報を用いて、前記表示装置に無線接続する第２無線通信部と、前記第２無線通信部により前記表示装置に画像データを送信する送信部と、を備えること、を特徴とする。
【００１９】
この表示システムによれば、情報処理装置が表示装置に無線接続して画像データを送信できる構成で、無線接続に用いる第２接続情報を変更できる。
【００２０】
本発明の表示装置の制御方法は、表示部を備える表示装置により、外部の無線タグから取得可能な第１接続情報を用いて、外部機器と無線接続し、第２接続情報を用いて前記外部機器または他の外部機器と無線接続し、前記第２接続情報を変更可能に保持すること、を特徴とする。
【００２１】
この表示装置の制御方法によれば、外部の無線タグから取得可能な第１接続情報による無線接続を可能とし、かつ、無線接続に用いる第２接続情報を変更できる。
【図面の簡単な説明】
【００２２】
【図１】一実施形態に係る情報処理システム１の構成の概要を示す図。
【図２】情報処理システム１の機能構成を示す図。
【図３】画像出力装置１０のハードウェア構成を例示する図。
【図４】無線タグ１０８の構成を例示する図。
【図５】情報処理装置２０のハードウェア構成を例示する図。
【図６】無線タグ３０のハードウェア構成を例示する図。
【図７】画像出力装置１０と情報処理装置２０との接続処理を示すフローチャート。
【図８】接続情報の変更処理を示すフローチャート。
【図９】情報処理システム１の利用例を示す図。
【発明を実施するための形態】
【００２３】
１．構成
図１は、一実施形態に係る情報処理システム１（表示システム）の構成の概要を示す図である。情報処理システム１は、画像出力装置１０（表示装置）、情報処理装置２０、および無線タグ３０を有する。画像出力装置１０は、画像または映像を出力する装置、例えばプロジェクターである。情報処理装置２０は、例えばスマートフォンである。情報処理システム１において、情報処理装置２０は、無線タグ３０から読み取った情報を用いて、画像出力装置１０と無線接続する。画像出力装置１０は、この無線接続を介して情報処理装置２０から受信した画像を出力する。なお、情報処理システム１は、情報処理装置２０および無線タグ３０を複数、有していてもよい。複数の画像出力装置１０の各々を区別するときは、画像出力装置１０Ａ、１０Ｂ、・・・というように添字を用いる。無線タグ３０についても同様である。
【００２４】
図２は、情報処理システム１の機能構成を示す図である。以下、画像出力装置１０が表示装置、より具体的には画像（映像）を投写するプロジェクターである例を説明する。
【００２５】
画像出力装置１０は、無線通信手段１１（無線通信部、第１無線通信部）、記憶手段１２（第２接続情報記憶部）、変更手段１３（変更部）、表示手段１４（表示部）、受け付け手段１８（受付部）を有する。
無線通信手段１１は、外部機器（例えば情報処理装置２０）と第１方式の無線通信を行う。第１方式は、いわゆる無線ＬＡＮの規格、例えばＩＥＥＥ８０２．１１（ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ａｃ等の派生および発展規格を含む）に準拠した方式である。無線通信手段１１は、例えば、無線ＬＡＮのアクセスポイントとしての機能を提供する。
【００２６】
記憶手段１２は、第１方式の無線通信をする際に用いられる接続情報を記憶する。本実施形態で記憶手段１２が記憶する接続情報は、第１接続情報１２１、及び第２接続情報１２２である。第１接続情報１２１及び第２接続情報１２２は、無線ＬＡＮの通信を開始する際に接続を確立するために必要な情報である。例えば、第１接続情報１２１及び第２接続情報１２２のそれぞれは、無線ＬＡＮのアクセスポイントの識別子（Service Set Identifier、ＳＳＩＤ）およびパスフレーズ（パスワード）を含む。  変更手段１３は、記憶手段１２に記憶されている接続情報を変更する。ここで、記憶手段１２が記憶する接続情報のうち第１接続情報１２１は変更できない。換言すれば、変更手段１３が変更するのは記憶手段１２に記憶される第２接続情報１２２である。変更手段１３による変更の指示、及び、変更後の第２接続情報１２２の内容は、受け付け手段１８が受け付ける。受け付け手段１８は、ユーザーの入力を受け付ける。
【００２７】
表示手段１４は、無線通信手段１１で受信する画像データに基づき、静止画像または動画像（映像）を表示する。この例で、無線通信手段１１は、記憶手段１２に記憶されている第１接続情報１２１または第２接続情報１２２に適合した接続情報を用いて、第１方式で無線接続してきた外部機器から映像を受信する。表示手段１４は、この外部機器から無線通信手段１１を介して受信した画像データに基づき映像を表示する。
【００２８】
無線タグ３０は、第２方式に従って出力された電磁波で起電されて無線応答信号を出力する。第２方式は、いわゆる非接触ＩＣカード技術または近距離無線通信（Near Field Communication、ＮＦＣ）の規格、例えばＩＳＯ／ＩＥＣ１８０９２（ＮＦＣＩＰ−１）、ＩＳＯ／ＩＥＣ１４４４３、またはＩＳＯ／ＩＥＣ１５６９３に準拠した方式である。画像出力装置１０自身が内蔵する無線タグとの対比の意味で、無線タグ３０は「外付け」または「外部の」無線タグといえる。
【００２９】
なお、ここで「無線タグ」とは、一般にＲＦＩＤ（Radio Frequency IDentifier）またはＩＣタグと言われるものを含み、電源を有していなくても情報を出力することができる、いわゆるパッシブ型の無線タグ、及び、アクティブ型の無線タグを含む。本実施形態では、パッシブ型の無線タグである無線タグ３０、無線タグ１５及び無線タグ１０８を例示する。
【００３０】
情報処理装置２０は、無線リーダー／ライター２１、無線通信手段２４（第２無線通信部）、送信手段２６（送信部）、読み出し手段２７、接続手段２８、及び記憶手段２９を有する。
無線リーダー／ライター２１は、情報の読み出しまたは書き込みのため無線タグ３０と第２方式の無線通信を行う。無線通信手段２４は、画像出力装置１０と第１方式の無線通信を行う。
読み出し手段２７は、無線タグ３０に記憶されている接続情報を、無線リーダー／ライター２１を介して読み出す。読み出し手段２７は、無線タグから読み出した接続情報を、接続手段２８に設定する。接続手段２８は、読み出し手段２７により読み出された接続情報を用いて無線通信手段２４を介して画像出力装置１０に無線接続する。送信手段２６は、接続手段２８により接続されている画像出力装置１０に画像データを送信する。送信手段２６は、記憶手段２９に接続される。記憶手段２９は、静止画像または映像を含むコンテンツデータ２９１を記憶し、このコンテンツデータ２９１が送信手段２６により送信される。コンテンツデータ２９１のデータフォーマットは任意の形式とすることができ、音声データを含んでもよい。コンテンツデータ２９１は、例えば、動画ファイルの再生、プレゼンテーションファイルのスライドショー、または複数の静止画ファイルのスライドショー再生のデータである。
【００３１】
また、この例で、画像出力装置１０は、第２方式の近距離無線通信に準拠した無線タグ１５を有する。外付けの無線タグとの対比の意味で、無線タグ１５は「内蔵の」無線タグといえる。
情報処理装置２０が備える無線リーダー／ライター２１は、無線タグ３０だけでなく、無線タグ１５から接続情報を読み取ることができる。この場合も、読み出し手段２７が、無線リーダー／ライター２１により読み取った接続情報を接続手段２８に設定する。このように、情報処理装置２０は、無線タグ１５または無線タグ３０から接続情報を読み取って、読み取った接続情報により無線通信手段２４で画像出力装置１０に無線接続する。
【００３２】
図３は、画像出力装置１０のハードウェア構成を例示する図である。先に述べたように、画像出力装置１０はプロジェクターである。画像出力装置１０は、ＣＰＵ（Micro Control Unit）１００、ＲＯＭ（Read Only Memory）１０１、ＲＡＭ（Random Access Memory）１０２、記憶部１０３、ＩＦ部１０４、画像処理回路１０５、投写ユニット１０６、操作パネル１０７、および無線タグ１０８を有する。
【００３３】
ＣＰＵ１００は、画像出力装置１０の各部を制御する制御装置である。ＲＯＭ１０１は、各種プログラム（以下「制御プログラム」という）およびデータを記憶した不揮発性の記憶装置である。ＲＡＭ１０２は、データを記憶する揮発性の記憶装置であり、ＣＰＵ１００が処理を実行する際のワークエリアとして機能する。
記憶部１０３は、接続情報を含むデータを記憶する不揮発性の記憶装置であり、例えばフラッシュメモリー、ＨＤＤ（Hard Disk Drive）またはＳＳＤ（Solid State Drive）などを含む。この例で、記憶部１０３は、無線ＬＡＮ接続された情報処理装置２０から送信された映像を投写させる等、各種の機能を実現するためのデータやプログラムを記憶していてもかまわない。記憶部１０３は、記憶手段１２（図１）として機能し、第１接続情報１２１、及び第２接続情報１２２を記憶する。
【００３４】
ＩＦ部１０４は、映像ソースとなる外部装置（例えば情報処理装置２０）と信号またはデータのやりとりを仲介するインターフェースである。ＩＦ部１０４は、外部装置と信号またはデータのやりとりをするための端子（例えば、ＶＧＡ端子、ＵＳＢ端子、有線ＬＡＮインターフェース、Ｓ端子、ＲＣＡ端子、ＨＤＭＩ（High−Definition Multimedia Interface：登録商標）端子など）および無線ＬＡＮインターフェースを含む。
この無線ＬＡＮインターフェースは、画像出力装置１０を無線ＬＡＮのアクセスポイントとして機能させることができる。また、この無線ＬＡＮインターフェースは、外部の無線ＬＡＮのアクセスポイントに対し、クライアントとして接続できる。
【００３５】
画像処理回路１０５は、入力された映像信号（以下「入力映像信号」という）に所定の画像処理を施す。投写ユニット１０６は、画像処理が施された映像信号に従って、スクリーンに画像を投写する。投写ユニット１０６は、光源、光変調器、および光学系、並びにこれらの駆動回路を有する（いずれも図示略）。光源は、高圧水銀ランプ、ハロゲンランプ、若しくはメタルハライドランプなどのランプ、またはＬＥＤ（Light Emitting Diode）若しくはレーザーダイオードなどの固体光源である。光変調器は、光源から照射された光を映像信号に応じて変調する装置であり、例えば透過型の液晶パネルを有する。光学系は、光変調器により変調された光をスクリーンに投写する素子であり、例えばレンズおよびプリズムを有する。この例で、光源および光変調器は、色成分毎に設けられている。具体的には、赤、緑、および青の３原色のそれぞれについて個別に、光源および光変調器が設けられている。各液晶パネルによって変調された光は光学系で合成され、スクリーンに投写される。なお、光変調器は、反射型の液晶パネルやミラーデバイスで構成されていてもよい。
【００３６】
操作パネル１０７は、ユーザーが画像出力装置１０に対し指示を入力するための入力装置であり、例えば、キーパッド、ボタン、またはタッチパネルを含む。無線タグ１０８は、第２方式に準拠した無線タグである。無線タグ１０８は、図２における「内蔵の」無線タグ１５に相当する。
【００３７】
図４は、「内蔵の」無線タグ１０８の構成を例示する図である。無線タグ１０８は、アンテナ１０８１およびＩＣチップ１０８２を有する。アンテナ１０８１は、無線リーダー／ライターから出力される磁場すなわち電磁波（搬送波）を受信する。この磁場を受けると、アンテナ１０８１には電磁誘導により電流が生じる。ＩＣチップ１０８２はこの電流で起動する。
【００３８】
ＩＣチップ１０８２は、メモリー１０８３、コントローラー１０８４、およびインターフェース１０８５を有する。メモリー１０８３は、情報を記憶する不揮発性の記憶装置である。この例では、メモリー１０８３は、画像出力装置１０と無線接続するための接続情報を記憶する。インターフェース１０８５は、ＣＰＵ１００とのデータのやりとりを仲介する有線インターフェースである。この例で、メモリー１０８３には、ＣＰＵ１００により指定された接続情報が書き込まれる。
【００３９】
アンテナ１０８１に電流が流れると、無線リーダー／ライターより受けた磁場と逆向きの磁場（反磁場）が生じる。アンテナ１０８１に流れる電流で起動したコントローラー１０８４は、メモリー１０８３に記憶されている接続情報を含むようにこの反磁場を変調する。無線リーダー／ライターは、この変調された反磁場をデータ信号として読み取る。すなわち、アンテナ１０８１は、無線応答信号を出力する無線応答部である。
【００４０】
再び図３を参照する。ＩＦ部１０４に含まれる無線ＬＡＮインターフェースは、無線通信手段１１の一例である。記憶部１０３は、記憶手段１２の一例である。投写プログラムを実行しているＣＰＵ１００は、変更手段１３の一例である。投写ユニット１０６は、表示手段１４の一例である。操作パネル１０７は、受け付け手段１８の一例である。
【００４１】
図５は、情報処理装置２０のハードウェア構成を例示する図である。この例で、情報処理装置２０はスマートフォンである。情報処理装置２０は、ＣＰＵ２００、ＲＯＭ２０１、ＲＡＭ２０２、記憶部２０３、無線ＬＡＮインターフェース２０４、表示部２０５、入力部２０６、および無線リーダー／ライター２０７を有する。
【００４２】
ＣＰＵ２００は、情報処理装置２０の各部を制御する制御装置である。ＲＯＭ２０１は、各種プログラムおよびデータを記憶した不揮発性の記憶装置である。ＲＡＭ２０２は、データを記憶する揮発性の記憶装置であり、ＣＰＵ２００が処理を実行する際のワークエリアとして機能する。記憶部２０３は、データおよびプログラムを記憶する不揮発性の記憶装置、例えばＨＤＤ（Hard Disk Drive）またはＳＳＤ（Solid State Drive）を含む。この例で、記憶部２０３は、オペレーティングシステム（以下「ＯＳ」という）、および画像出力装置１０に対し無線ＬＡＮ接続を介して映像を送信するためのアプリケーションプログラム（以下「クライアントアプリケーション」という）を記憶している。
【００４３】
無線ＬＡＮインターフェース２０４は、他の装置（例えば画像出力装置１０）と無線ＬＡＮ通信を行う。表示部２０５は、情報を表示する装置、例えばＬＣＤ（Liquid Crystal Display）を含む。入力部２０６は、情報処理装置２０に対し指示や情報を入力する装置、例えば、タッチスクリーンやキーパッドを含む。
【００４４】
無線リーダー／ライター２０７は、無線リーダー／ライター２１に相当する。無線ＬＡＮインターフェース２０４は、無線通信手段２４の一例である。クライアントアプリケーションを実行しているＣＰＵ２００は、送信手段２６、読み出し手段２７、及び接続手段２８の一例である。記憶部２０３は、記憶手段２９として機能し、コンテンツデータ２９１（図１）を記憶する。
【００４５】
図６は、「外部の」無線タグ３０のハードウェア構成を例示する図である。無線タグ３０は、アンテナ３０１およびＩＣチップ３０２を有する。アンテナ３０１は、無線リーダー／ライターから出力される磁場すなわち電磁波（搬送波）を受信する。この磁場を受けると、アンテナ３０１には電磁誘導により電流が生じる。ＩＣチップ３０２はこの電流で起動する。
【００４６】
ＩＣチップ３０２は、メモリー３０３、およびコントローラー３０４を有する。メモリー３０３は、情報を記憶する不揮発性の記憶装置である。この例では、メモリー３０３は、画像出力装置１０と無線接続するための接続情報を記憶する。
【００４７】
アンテナ３０１に電流が流れると、無線リーダー／ライターより受けた磁場と逆向きの磁場（反磁場）が生じる。アンテナ３０１に流れる電流で起動したコントローラー３０４は、メモリー３０３に記憶されている接続情報を含むようにこの反磁場を変調する。無線リーダー／ライターは、この変調された反磁場をデータ信号として読み取る。
【００４８】
２．動作
情報処理システム１の動作を説明する。ここでは特に、情報処理装置２０が画像出力装置１０と無線ＬＡＮ接続を確立する処理、及び、第２接続情報を変更する処理について、説明する。またここでは、一例として以下の状況を想定する。画像出力装置１０（プロジェクター）は、ある会議室の天井に設置されている。この会議室の机には、無線タグ３０が貼り付けられている。無線タグ３０には、画像出力装置１０の接続情報が記憶されている。ユーザーは、自身が日常的に使用している情報処理装置２０をこの会議室に持ち込み、情報処理装置２０を映像ソースとして、画像出力装置１０から映像を投写する。
【００４９】
２−１．画像出力装置１０と情報処理装置２０との接続
図７は、画像出力装置１０と情報処理装置２０との接続処理を示すフローチャートである。以下の説明において、クライアントアプリケーション等のソフトウェアを処理の主体として記載する場合があるが、これは、そのプログラムを実行しているＣＰＵ２００等のハードウェア要素が他のハードウェア要素と協働して処理を行うことを意味する。図７（Ａ）は情報処理装置２０の動作を示し、図７（Ｂ）は画像出力装置１０の動作を示す。
【００５０】
ユーザーが情報処理装置２０を無線タグ３０にかざす操作を行うと、情報処理装置２０が無線タグ３０を検出する（ステップＳ１０１）。詳細には、無線リーダー／ライター２０７とアンテナ３０１との距離が近づき、アンテナ３０１に電流が誘起される。この電流によりＩＣチップ３０２が起動し、記憶している接続情報をデータ信号として出力する。この例で、ＩＣチップ３０２が記憶する接続情報は、記憶部１０３が記憶する第１接続情報１２１に対応する接続情報である。この接続情報は、画像出力装置１０と無線ＬＡＮ接続を確立するために用いられる情報、具体的には、例えば、ネットワークのＩＰアドレス、画像出力装置１０の識別名、パスフレーズ（パスワード）、および画像出力装置１０のＳＳＩＤおよびパスフレーズ（パスワード）を含んでいる。従って、ＩＣチップ３０２が記憶する接続情報は第１接続情報１２１と同じ情報であってもよいし、画像出力装置１０が第１接続情報１２１を用いる場合に、この画像出力装置１０に無線接続可能な、第１接続情報１２１とは異なる情報であってもよい。なお、これらの情報は暗号化されてもよい。これらの情報が無線タグ３０に書き込まれた状態で画像出力装置１０と無線タグ３０とをセットで販売してもよいし、画像出力装置１０との接続に適するように無線タグ３０に後から書き込みを行ってもよい。また、無線タグ３０に文字列あるいは番号あるいは文字列と番号の複合列情報を印刷しておいて、ユーザーに最初の利用時に画像出力装置１０にこれらの情報を登録してもらい、画像出力装置１０は登録されたこれらの情報から接続情報を生成してもよい。第１接続情報１２１はユーザー操作による変更はできないが、これらの登録および削除による画像出力装置１０と無線タグ３０との関連付けの生成は可能な構成とする。
【００５１】
情報処理装置２０は、無線タグ３０を検出したことをトリガーとして、無線タグ３０の読み取りに対応付けられたクライアントアプリケーションの実行を開始する（ステップＳ１０２）。クライアントアプリケーションは、無線タグ３０に対する読み取り動作を実行し、無線タグ３０から接続情報を取得する（ステップＳ１０３）。すなわち、クライアントアプリケーションは、無線リーダー／ライター２０７を介して読み取ったデータ信号から接続情報を抽出する。クライアントアプリケーションは、抽出した接続情報をＲＡＭ２０２に記憶する。なお、ユーザーが情報処理装置２０を無線タグ３０にかざす操作を行う前に、クライアントアプリケーションをユーザーが起動してもかまわない。
【００５２】
クライアントアプリケーションは、取得した接続情報に含まれるＳＳＩＤにより特定される無線ＬＡＮアクセスポイント、すなわち画像出力装置１０に、無線ＬＡＮ接続を試みる（ステップＳ１０４）。例えば、クライアントアプリケーションの機能により、ステップＳ１０３で取得した接続情報に含まれるＳＳＩＤを無線ＬＡＮインターフェース２０４からブロードキャスト送信し、アクセスポイントからの応答を検出する。或いは、クライアントアプリケーションは、無線ＬＡＮインターフェース２０４で受信可能な無線ＬＡＮの信号から、ステップＳ１０３で取得した接続情報に含まれるＳＳＩＤに該当する信号を選択して、応答を行う。これらの方法または他の方法により、情報処理装置２０のクライアントアプリケーションは、アクセスポイントへの接続を試行する。
【００５３】
一方、画像出力装置１０は、起動すると、無線ＬＡＮアクセスポイントとしての機能の実行を開始する（ステップＳ２０１）。すなわち、無線ＬＡＮクライアントからの接続の要求に応答して無線接続を確立し、無線ＬＡＮ接続を提供する機能を開始する。
画像出力装置１０は、記憶部１０３に記憶する第１接続情報１２１、及び第２接続情報１２２の両方について、アクセスポイントとしての機能を実行できる。すなわち、第１接続情報１２１に含まれるＳＳＩＤ及びパスフレーズを用いる無線ＬＡＮ接続と、第２接続情報１２２に含まれるＳＳＩＤ及びパスフレーズを用いる無線ＬＡＮ接続とを、それぞれ独立して実行できる。この機能は、いわゆるマルチＳＳＩＤ機能として知られる機能である。画像出力装置１０は、記憶部１０３から第１接続情報１２１及び第２接続情報１２２を読み出し、これらの接続情報を用いた無線ＬＡＮ接続を待機する状態を、開始する（ステップＳ２０２）。
【００５４】
画像出力装置１０は、第１接続情報１２１のＳＳＩＤ及びパスフレーズ、或いは、第２接続情報１２２のＳＳＩＤ及びパスフレーズを用いるアクセスを検出するまで待機する（ステップＳ２０３；Ｎｏ）。この待機中、画像出力装置１０は、ＩＦ部１０４により、第１接続情報１２１のＳＳＩＤに基づく信号をブロードキャスト送信し、第２接続情報１２２のＳＳＩＤに基づく信号をブロードキャスト送信してもよい。或いは、ＩＦ部１０４により、第１接続情報１２１または第２接続情報１２２に含まれるＳＳＩＤを指定する信号の受信を試行してもよい。
【００５５】
ここで、情報処理装置２０が無線接続を試行し（ステップＳ１０４）、このアクセスを画像出力装置１０が検出すると（ステップＳ２０３；Ｙｅｓ）、画像出力装置１０は無線ＬＡＮ接続を確立する（ステップＳ２０４）。すなわち、画像出力装置１０の制御プログラムは、記憶部１０３に記憶されている接続情報と適合する接続情報を用いて接続してきた外部機器（この例では情報処理装置２０）と無線ＬＡＮ接続を確立する。情報処理装置２０においても無線ＬＡＮ接続を確立する（ステップＳ１０５）。ステップＳ１０５、Ｓ２０４では、無線ＬＡＮ接続に必要な情報が、画像出力装置１０と情報処理装置２０の間で相互に送受信される。ここで送受信される情報は、例えばＭＡＣ（Media Access Control）アドレス、ＩＰ（Internet Protocol）アドレス、ネットワーク名、ノード名、パスフレーズ、周波数チャネルを指定する情報等である。
【００５６】
その後、情報処理装置２０は、記憶部２０３に記憶するコンテンツデータ２９１を画像出力装置１０に送信し（ステップＳ１０６）、所定時間毎、または所定データ量を送信する毎に、送信を終了するか否かを判定する（ステップＳ１０７）。送信を終了しないと判定した場合は（ステップＳ１０７；Ｎｏ）、ステップＳ１０６の送信を継続する。また、送信を終了すると判定した場合（ステップＳ１０７；Ｙｅｓ）、画像出力装置１０との無線接続を切断し、クライアントアプリケーションを終了する（ステップＳ１０８）。なお、コンテンツデータ２９１を送信後に終了せず、別のコンテンツデータ２９１を送信してもかまわない。
【００５７】
一方、画像出力装置１０は、情報処理装置２０が送信するコンテンツデータ２９１を受信し（ステップＳ２０５）、受信したコンテンツデータ２９１に基づく画像をスクリーンに投写（表示）する（ステップＳ２０６）。画像出力装置１０は、所定時間毎、または所定データ量を受信する毎に、表示を終了するか否かを判定する（ステップＳ２０７）。表示を終了しないと判定した場合は（ステップＳ２０７；Ｎｏ）、ステップＳ２０５に戻る。また、表示を終了すると判定した場合（ステップＳ２０７；Ｙｅｓ）、画像の表示を終了して、情報処理装置２０との無線接続を切断し（ステップＳ２０８）、動作を終了する。
【００５８】
図７に示す動作において、画像出力装置１０は、映像ソースとして同時に無線ＬＡＮ接続する情報処理装置２０の台数に上限を設けてもよい。例えば、画像出力装置１０は、映像ソースとして無線ＬＡＮ接続する情報処理装置２０の数を１台に限定してもよい。ある情報処理装置２０が映像ソースとして画像出力装置１０と無線ＬＡＮ接続している場合において別の情報処理装置２０が映像ソースとして無線ＬＡＮ接続を要求してきたときは、画像出力装置１０は、映像ソースを、新たに接続してきた情報処理装置２０に切り替えてもよい。あるいは、画像出力装置１０は、所定の条件が満たされた場合（例えば所定の指示が入力された場合）に、映像ソースを、新たに接続してきた情報処理装置２０に切り替えてもよい。
【００５９】
また、ステップＳ１０７、Ｓ２０７における判定は、フロー制御に限定されない。例えば、映像の送信を停止するイベント（例えば、再生の終了や、ユーザーによる再生中止の指示）が発生した場合に、このイベントに対応してステップＳ１０８、Ｓ２０８の動作を実行してもよい。
【００６０】
従来、すなわち、無線タグ３０を用いない場合において、情報処理装置２０が画像出力装置１０と初めて接続するときは、画像出力装置１０と無線ＬＡＮ接続するための接続情報を、情報処理装置２０に入力する必要があった。情報処理装置２０に接続情報に入力する方法の一つに、ユーザーが直接、情報処理装置２０に接続情報を入力する方法がある。具体的には、ユーザーがキーボード（ハードウェアキーボードの場合もあるしソフトウェアキーボードの場合もある）を操作し、ＳＳＩＤおよびパスフレーズ（パスワード）の文字列をクライアントソフトウェアに入力する。この方法では、ユーザーに煩雑な操作を要求することになるし、入力ミスにより接続できないこともある。別の例で、接続情報を示す画像（例えばＱＲコード（登録商標））を画像出力装置１０が投写し、情報処理装置２０がこの画像をカメラで読み取ってデコードすることにより接続情報を得る方法がある。しかしこの例では、画像出力装置１０においては接続情報を示す画像を生成して投写する処理をする必要がある。情報処理装置２０においては、画像を読み取るソフトウェアを起動し、カメラで画像を撮影してこれを接続情報にデコードする必要がある。ユーザーが接続情報を直接入力する方法と比較すると入力ミスの可能性もユーザーの手間も減っているが、ユーザーに多くの操作を要する点においてまだ改善の余地がある。
【００６１】
これに対し本実施形態においては、無線タグ３０に情報処理装置２０をかざすだけで、画像出力装置１０と無線ＬＡＮ接続するための接続情報を情報処理装置２０に取り込むことができる。すなわち、従来よりも簡単な操作で、情報処理装置２０を画像出力装置１０に無線接続することができる。また、本実施例において、画像出力装置１０が天井に設置されているとして説明してきたが、画像出力装置１０は、例えば、持ち運び可能なポータブルタイプであってもかまわない。その場合、無線接続を確立するためには、画像出力装置１０に「内蔵の」無線タグ１５を利用すれば、「外部の」無線タグ３０を画像出力装置１０と一緒に持ち運ばなくてもよく便利である。
【００６２】
２−２．接続情報の更新（変更）
上記の想定において、例えば、会議室に設置されているプロジェクターのＳＳＩＤを、管理上の理由等により変更することがある。このような場合、画像出力装置１０が用いるＳＳＩＤやパスフレーズを変更すると、無線タグ３０に記憶されている接続情報と整合しなくなる。このため、無線タグ３０の接続情報を更新する作業、或いは、無線タグ３０を交換する作業を要する。情報処理システム１では、画像出力装置１０が用いるＳＳＩＤ等の接続情報の変更を可能とし、かつ、無線タグ３０に記憶されている接続情報を引き続き使用できる構成となっている。
【００６３】
図８は、画像出力装置１０が記憶する接続情報の変更処理を示すフローチャートである。図８のフローは、例えば、画像出力装置１０の機能の設定画面において、ユーザーがＳＳＩＤの変更を指示したことを契機として開始される。
【００６４】
画像出力装置１０の制御プログラムは、操作パネル１０７の操作等による接続情報の変更の指示を受け付ける（ステップＳ２１１）。画像出力装置１０は、操作パネル１０７に入力される接続情報の変更内容を取得し（ステップＳ２１２）、取得した変更内容に基づき、記憶部１０３に記憶する第２接続情報１２２を更新する（ステップＳ２１３）。
ここで、第１接続情報１２１は更新不可の情報として記憶部１０３に記憶されており、例えば更新不可であることを示すフラグや属性を伴うデータとなっている。また、第１接続情報１２１を、ＩＦ部１０４の無線ＬＡＮインターフェースを構成するハードウェアが記憶し、記憶部１０３に記憶しない構成としてもよい。いずれの構成においても、画像出力装置１０の制御プログラムの機能で、第１接続情報１２１を変更することは許可されない。
【００６５】
この構成により、画像出力装置１０は、無線タグ３０が記憶する接続情報に対応する第１接続情報１２１を変更せずに、維持する。従って、無線タグ３０から接続情報を読み取って無線ＬＡＮアクセスを行う情報処理装置２０の様な機器が、画像出力装置１０と無線通信を確立できる。そして、この状態を維持して、第２接続情報１２２を変更することができ、他の接続情報を用いた無線ＬＡＮアクセスが可能となる。
【００６６】
３．利用例
図９は、情報処理システム１の利用例を示す図である。この例で、情報処理システム１は、ある会議室において用いられる。この会議室には、３台のプロジェクター（画像出力装置１０Ａ、１０Ｂ、および１０Ｃ）が設置されている。これら３台のプロジェクターは、それぞれ異なるスクリーン（スクリーン２Ａ、２Ｂ、および２Ｃ）に映像を投写する。会議室の机には、タグセット３５が複数箇所に貼り付けられている。タグセット３５は、それぞれ、３つの無線タグ（無線タグ３０Ａ、３０Ｂ、および３０Ｃ）を含んでいる。無線タグ３０Ａ、３０Ｂ、および３０Ｃには、それぞれ、画像出力装置１０Ａ、１０Ｂ、および１０Ｃの接続情報が記憶されている。無線タグ３０Ａ、３０Ｂ、および３０Ｃは、それぞれ、画像出力装置との対応関係を示す外観（例えば、色、マーク、または文字列）を有していてもよい。例えば、画像出力装置１０Ａ、１０Ｂ、および１０Ｃが赤、緑、および青に塗られ（またはこれらの色のラベルが貼り付けられ）、これに合わせて無線タグ３０Ａ、３０Ｂ、および３０Ｃが赤、緑、および青に塗られていてもよい。
【００６７】
会議には、５人の参加者（ユーザーＡ〜Ｅ、図示略）が出席している。各ユーザーは、無線リーダー／ライターを内蔵した情報処理装置（情報処理装置２０Ａ〜Ｅ、図示略）を所有している。例えばユーザーＡが、スクリーン２Ａを使ってプレゼンテーションを行おうとする場合、ユーザーＡは、自席の近くのタグセット３５のうち無線タグ３０Ａに、自身の情報処理装置２０Ａをかざす。すると、情報処理装置２０Ａと画像出力装置１０Ａとの間で無線ＬＡＮ接続が確立される。ユーザーＡは、情報処理装置２０Ａに記憶されているプレゼンテーションのファイルを再生しながらプレゼンテーションを行う。
【００６８】
次に、ユーザーＢが、スクリーン２Ｂを使ってプレゼンテーションを行おうとする場合、ユーザーＢは、自席の近くのタグセット３５のうち無線タグ３０Ｂに、自身の情報処理装置２０Ｂをかざす。すると、情報処理装置２０Ｂと画像出力装置１０Ｂとの間で無線ＬＡＮ接続が確立される。ユーザーＢは、情報処理装置２０Ｂに記憶されているプレゼンテーションのファイルを再生しながらプレゼンテーションを行う。
【００６９】
ユーザーＢのプレゼンテーション中およびその後も、情報処理装置２０Ａと画像出力装置１０Ａとの無線ＬＡＮ接続、および情報処理装置２０Ｂと画像出力装置１０Ｂとの無線ＬＡＮ接続を確立したままにすることができる。参加者間の議論においてユーザーＡのプレゼンテーションを参照したくなったときは、ユーザーＡは情報処理装置２０Ａを操作して、所望のスライドを表示させる。ユーザーＢについても同様である。
【００７０】
さらにこの場合において、ユーザーＣが、スクリーン２Ａを使ってプレゼンテーションを行おうとする場合、ユーザーＣは、自席の近くのタグセット３５のうち無線タグ３０Ａに、自身の情報処理装置２０Ｃをかざす。すると、情報処理装置２０Ｃと画像出力装置１０Ａとの間で無線ＬＡＮ接続が確立され、情報処理装置２０Ａの映像ソースは情報処理装置２０Ｃに切り替わる。ユーザーＣは、情報処理装置２０Ｃに記憶されているプレゼンテーションのファイルを再生しながらプレゼンテーションを行う。
【００７１】
例えば、いわゆるノート型のＰＣ（Personal Computer）を有線でプロジェクターに接続するシステムにおいては、映像ソースを切り替えようとすると、ケーブルをあるＰＣから別のＰＣに付け替える必要がある。これに対し情報処理システム１においては、無線タグ３０に情報処理装置２０をかざすだけで映像ソースを切り替えることができる。ただし、ノート型ＰＣが無線リーダー／ライターを備えていれば、情報処理装置として機能することができる。
【００７２】
このように、情報処理システム１によれば、より柔軟に、画像出力装置１０を利用することができる。
【００７３】
以上説明したように、本発明を適用した情報処理システム１の画像出力装置１０は、表示手段１４として機能する投写ユニット１０６と、外部の無線タグ３０から取得可能な第１接続情報１２１を用いて、外部機器と無線接続する無線通信手段１１としてのＩＦ部１０４とを備える。また、ＩＦ部１０４により無線接続可能な接続情報であって、第１接続情報１２１とは異なる第２接続情報１２２を記憶する記憶手段１２としての記憶部１０３を備える。画像出力装置１０は、ＩＦ部１０４により、第２接続情報１２２を用いて情報処理装置２０と無線接続可能であり、第２接続情報１２２は変更可能である。このため、無線タグ３０から取得可能な第１接続情報１２１による無線接続を可能とし、かつ、無線接続に用いる第２接続情報１２２を変更できる。
【００７４】
また、画像出力装置１０は、第２接続情報１２２の変更の指示を受け付ける受け付け手段１８としての操作パネル１０７を備える。画像出力装置１０の制御プログラムは、受け付け手段１８により受け付けた指示に基づき、第２接続情報１２２を変更する変更手段１３として機能する。制御プログラムが第２接続情報１２２を変更する場合に、第１接続情報１２１は変更されないので、無線タグ３０から第１接続情報１２１を取得する情報処理装置２０が、画像出力装置１０に無線接続可能な状態を保つことができる。
【００７５】
また、画像出力装置１０の制御プログラムは、ＩＦ部１０４により、第１接続情報１２１を用いて画像出力装置１０からのアクセスを受けた場合に、画像出力装置１０に無線ＬＡＮのアクセスポイントとして無線接続する。
また、画像出力装置１０の制御プログラムは、投写ユニット１０６により、無線通信手段１１により受信される画像データに基づく画像を表示できる。
さらに、画像出力装置１０は、第１接続情報１２１を保持する無線タグ１５としての無線タグ１０８を備えてもよい。この場合、無線タグ３０から取得可能な第１接続情報１２１を、無線タグ１０８に保持することで、第１接続情報１２１を用いた無線接続を、より容易に行える。
【００７６】
そして、情報処理システム１では、画像出力装置１０と、情報処理装置２０とを有し、画像出力装置１０と情報処理装置２０とが無線ＬＡＮ接続を確立する。情報処理装置２０はコンテンツデータ２９１を送信し、画像出力装置１０が、コンテンツデータ２９１を受信して、コンテンツデータ２９１に基づく画像を表示する。これにより、情報処理装置２０が画像出力装置１０に無線接続してコンテンツデータ２９１を送信でき、画像出力装置１０が無線接続に用いる第２接続情報１２２を変更できる。
【００７７】
４．変形例
本発明は上述の実施形態に限定されるものではなく種々の変形実施が可能である。以下、変形例をいくつか説明する。以下の変形例のうち２つ以上のものが組み合わせて用いられてもよい。
【００７８】
４−１．変形例１
画像出力装置１０は、上述したマルチＳＳＩＤ機能により、第１接続情報１２１に基づく無線ＬＡＮアクセスポイントとしての機能と、第２接続情報１２２に基づく無線ＬＡＮアクセスポイントとしての機能とを実行する構成に限定されない。
例えば、画像出力装置１０は、無線ＬＡＮの通信が可能な範囲に他の無線ＬＡＮアクセスポイントが存在する場合に、この無線ＬＡＮアクセスポイントに対してクライアントとして接続してもよい。つまり、画像出力装置１０は、ＩＦ部１０４の無線ＬＡＮインターフェースにより、無線ＬＡＮクライアントとして、アクセスポイントに接続する。この場合、画像出力装置１０は、第１接続情報１２１に基づく情報処理装置２０のアクセスに応答して接続を確立できる。すなわち、画像出力装置１０は、ＩＦ部１０４の無線ＬＡＮインターフェースにより無線ＬＡＮクライアントとして通信を実行する場合に、第１接続情報１２１に基づく無線ＬＡＮアクセスポイントとして機能する。無線ＬＡＮクライアントとして通信を実行する場合、画像出力装置１０は、ＩＦ部１０４で、第２接続情報１２２を使用する。これに対し、無線ＬＡＮアクセスポイントとしての機能では第１接続情報１２１を使用する。ＳＳＩＤやパスフレーズ等が異なるため、クライアントの機能とアクセスポイントとしての機能は相互に干渉しない。この構成では、無線ＬＡＮクライアントとして通信を行うことで、同じ無線ＬＡＮアクセスポイントに接続する他の無線ＬＡＮクライアントと通信を実行できる。例えば、複数のＰＣが接続する無線ＬＡＮに、無線ＬＡＮクライアントとして接続し、他の無線ＬＡＮクライアントであるＰＣから画像データを受信し、表示できる。また、ＰＣで実行するアプリケーションプログラムの機能により、画像出力装置１０を制御し、映像ソースの切替、表示の開始と終了、音量調整等を実行してもよい。このような用途では、画像出力装置１０の接続情報を、接続する対象の無線ＬＡＮアクセスポイントの設定に合わせて変更する必要があるが、画像出力装置１０では、第２接続情報１２２を更新できるため、容易に、任意の無線ＬＡＮアクセスポイントに接続できる。そして、画像出力装置１０を無線ＬＡＮクライアントとして動作させる間も、画像出力装置１０は、無線タグ３０から接続情報を読み取った情報処理装置２０からのアクセスに応答できる。
【００７９】
４−２．他の変形例
画像出力装置１０の機能は、図２で例示したものに限定されない。図２で例示した機能の一部が省略されてもよい。また、画像出力装置１０のハードウェア構成は、図３で例示したものに限定されない。要求される機能を実現できるものであれば、画像出力装置１０はどのようなハードウェア構成を有していてもよい。無線リーダー／ライター２１は、書き込み機能を有しない無線リーダーでもよい。
【００８０】
表示装置はプロジェクターに限定されず、直視のディスプレイであってもよい。また、画像出力装置１０は、実施形態で説明した表示装置に限定されない。画像出力装置１０は、プリンター等の画像形成装置であってもよい。この場合、情報処理装置２０から画像出力装置１０に送信されるデータは、プリントされる画像のデータである。
【００８１】
情報処理装置２０の機能は、図２で例示したものに限定されない。図２で例示した機能の一部が省略されてもよい。
情報処理装置２０の機能を実現するためのソフトウェアは、実施形態で説明したものに限定されない。また、接続情報に含まれる情報は、実施形態で例示したものに限定されない。
【００８２】
情報処理装置２０の機能を実現するためのハードウェア構成は図５で説明したものに限定されない。要求される機能を実現できるものであれば、情報処理装置２０はどのようなハードウェア構成を有していてもよい。
【００８３】
画像出力装置１０および情報処理装置２０の少なくとも一方において実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータ読み取り可能な記録媒体に記憶した状態で提供されてもよい。また、このプログラムは、インターネットのようなネットワーク経由でダウンロードされてもよい。
【符号の説明】
【００８４】
１…情報処理システム、２…スクリーン、１０…画像出力装置、１１…無線通信手段、１２…記憶手段、１３…変更手段、１４…表示手段、１５…無線タグ、１８…受け付け手段、２０…情報処理装置、２１…無線リーダー／ライター、２４…無線通信手段、２６…送信手段、２７…読み出し手段、２８…接続手段、２９…記憶手段、３０…無線タグ、１００…ＣＰＵ、１０１…ＲＯＭ、１０２…ＲＡＭ、１０３…記憶部、１０４…ＩＦ部、１０５…画像処理回路、１０６…投写ユニット、１０７…操作パネル、１０８…無線タグ、１０８１…アンテナ、１０８２…ＩＣチップ、１０８３…メモリー、１０８４…コントローラー、１０８５…インターフェース、２００…ＣＰＵ、２０１…ＲＯＭ、２０２…ＲＡＭ、２０３…記憶部、２０４…無線ＬＡＮインターフェース、２０５…表示部、２０６…入力部、２０７…無線リーダー／ライター、３０１…アンテナ、３０２…ＩＣチップ、３０３…メモリー、３０４…コントローラー。
【図１】
0006547335.tif 000002
【図２】
0006547335.tif 000003
【図３】
0006547335.tif 000004
【図４】
0006547335.tif 000005
【図５】
0006547335.tif 000006
【図６】
0006547335.tif 000007
【図７】
0006547335.tif 000008
【図８】
0006547335.tif 000009
【図９】
0006547335.tif 000010